(57)【要約】【課題】電解水生成装置にて生成される電解生成水が銀成分を含有するか否かを瞬時かつ容易に確認し得る確認方法を提供する。【解決手段】銀電極を陽極側電極とする電解室にて電解生成される電解生成水が含有する銀成分の確認する方法であり、当該確認方法は、生成された電解生成水にレーザ光を照射してティンダル現象の発現の有無を視認する方法を採ることを特徴とする。【選択図】図１
2007147499.tif 000002
【特許請求の範囲】
【請求項１】
銀電極を陽極側電極とする電解室にて電解生成される電解生成水が含有する銀成分を確認する銀成分の確認する方法であり、当該確認方法は、生成された電解生成水に光を照射して、ティンダル現象に起因する濁りの発現の有無を視認する方法を採ることを特徴とする電解生成水中の銀成分の確認方法。
【請求項２】
請求項１に記載の銀成分の確認方法であり、当該銀成分の確認方法では、電解生成水に照射する光として色付きのレーザ光を採用し、同レーザ光を電解生成水に照射して、ティンダル現象に起因するレーザ光の光路に沿って発現する色帯の有無を視認する方法を採ることを特徴とする電解生成水中の銀成分の確認方法。
【請求項３】
銀電極を陽極側電極とする電解室を備え、注出操作により、前記電解室にて電解生成される銀成分を含有する電解生成水を任意に注出することができる電解生成水用ディスペンサであり、当該ディスペンサは、生成された電解生成水にレーザ光を照射してティンダル現象に起因するレーザ光の光路に沿って発現する色帯の有無を視認することからなる銀成分の確認手段を備えていることを特徴とする電解生成水用ディスペンサ。
【発明の詳細な説明】
【技術分野】
【０００１】
本発明は、電解生成水が有効成分である銀成分を含有するか否かを確認する銀成分の確認方法、および、電解生成水中の銀成分の確認手段を備える電解生成水用ディスペンサに関する。本発明において、銀成分を含有する電解生成水とは、銀電極を陽極側電極とする電解室にて電解生成される電解生成水であり、当該電解生成水を銀含有電解生成水ということがある。
【背景技術】
【０００２】
銀電極を陽極側電極とする電解室にて電解生成される電解生成水である銀含有電解生成水は、人体に対する危険度がなくて殺菌作用を有していることから、近年、健康飲料水として、また、食品加工品や食器、医療器具等の殺菌用水として注目されている（特許文献１を参照）。最新の情報では、銀含有電解生成水は、飲用することによって、人体における免疫力を高める効果があるとの報告がある。従って、銀含有電解生成水は、人体それ自体や人の生活環境にとって極めて有用な電解生成水ということができる。
【特許文献１】特公平２−８７９８号公報
【発明の開示】
【発明が解決しようとする課題】
【０００３】
ところで、銀含有電解生成水を生成する生成方法や生成装置は種々提案されているが、生成された電解生成水が銀成分を含有する電解生成水であるか否かを簡単に確認する方法や、簡便な確認手段は未だ提案されていない。銀含有電解生成水を確実に生成する方法としては、銀電極を陽極側電極とする電解室にて被電解水を電解する場合に、電解運転時の電解電流や電解電圧を的確にフィードバック制御する方法があり、設定された電解電流や電解電圧で被電解水を生成した場合には、疑いなく、銀含有電解生成水が生成されるものとしている。しかしながら、電解運転時の電解電流や電解電圧をフィードバック制御する方法では、被電解水や電解生成水中に銀成分以外の導電物質が含まれている場合にも、電解運転では、電解電流や電解電圧は設定された電解電流や電解電圧と同様の挙動を示すため、電解電流や電解電圧を的確にフィードバック制御する方法が、銀含有電解生成水であることを確認するための正しい方法であるとは必ずしもいえない。
【０００４】
従って、銀含有電解生成水を利用するユーザにとっては、電解水生成装置で生成されて注出されてくる電解生成水が、使用目的に応じた銀含有電解生成水であることを簡単に確認する方法や、簡便な確認手段があれば極めて便利である。このため、ユーザが銀含有電解生成水を利用すべく、電解水生成装置を電解運転した際に注出される電解生成水が銀成分を含有するものであるか否かを確認する簡単な方法や簡便な手段が要請される。本発明の目的は、このような要請に対処することにある。
【課題を解決するための手段】
【０００５】
本発明は、電解生成水が銀成分を含有するか否かを確認する銀成分の確認方法、および、電解生成水中の銀成分の確認手段を備える電解生成水用ディスペンサに関する。本発明に係る銀成分の確認方法は、銀電極を陽極側電極とする電解室にて電解生成される電解生成水中の銀成分を確認する方法であり、当該確認方法は、生成された電解生成水に光を照射して、ティンダル現象に起因する濁りの発現の有無を視認する方法を採ることを特徴とするものである。
【０００６】
本発明に係る電解生成水中の銀成分の確認方法においては、電解生成水に照射する光として色付きのレーザ光を採用し、同レーザ光を電解生成水に照射して、ティンダル現象に起因するレーザ光の光路に沿って発現する色帯の有無を視認する方法を採ることができる。
【０００７】
また、本発明に係る電解生成水用ディスペンサは、銀電極を陽極側電極とする電解室を備え、注出操作により、前記電解室にて電解生成される銀成分を含有する電解生成水を任意に注出することができる電解生成水用ディスペンサであって、生成された電解生成水にレーザ光を照射してティンダル現象に起因するレーザ光の光路に沿って発現する色帯の有無を視認することからなる銀成分の確認手段を備えていることを特徴とするものである。
【発明の効果】
【０００８】
本発明に係る銀成分の確認方法は、銀電極を陽極側電極とする電解室にて電解生成される電解生成水が含有する銀成分がコロイド粒子の形態で存在していることを前提として成立しているので、本発明者は、銀含有電解生成水中の銀成分がコロイド粒子の形態で存在していることを確認し、これに基づいて、本発明に係る銀成分の確認方法に到達したものである。
【０００９】
本発明に係る銀成分の確認方法においては、電解生成水にレーザ光等の光を照射するもので、電解生成水が銀成分を含有している場合には、当該電解生成水中に存在する銀成分を主成分とするコロイド粒子は、照射されるレーザ光等を散乱してティンダル現象を発現させ、銀含有電解生成水中には、コロイド粒子による散乱光に起因する濁りが発現する。濁りの発現は、色付きのレーザ光を採用する場合には、レーザ光の光路に沿ってレーザ光の色を呈する色帯となって発現する。このため、銀含有電解生成水に光を照射することによって発現する濁り、レーザ光の照射にあっては、レーザ光を照射することによって発現する色帯を視認することにより、当該電解生成水が銀成分を含有していることを確認することができる。
【００１０】
従って、本発明に係る銀成分の確認方法を採れば、生成される電解生成水にレーザ光等の光を照射して生じる色帯等の濁り発現の有無を視認することによって、当該電解生成水が銀成分を含有しているか否か確認にすることができる。換言すれば、生成された電解生成水が使用目的に応じた銀含有電解生成水であるか否かを瞬時にかつ容易に確認することができる。
【００１１】
また、本発明に係る電解生成水用ディスペンサにおいては、生成された電解生成水にレーザ光を照射することに起因するレーザ光の光路に沿って発現する色帯の有無を視認することからなる銀成分の確認手段を備えている。このため、ユーザは、当該ディスペンサから注出される電解生成水が使用目的に応じた銀含有電解生成水であるから否かを、電解生成水を採取する際に、瞬時かつ容易に確認することができるという大きな利点がある。
【発明を実施するための最良の形態】
【００１２】
本発明は、電解生成水が有効な銀成分を含有しているか否かを確認する銀成分の確認方法、および、電解生成水中の銀成分の確認手段を備える電解生成水用ディスペンサに関する。
【００１３】
本発明に係る銀成分の確認方法は、銀電極を陽極側電極とする電解室にて電解生成される電解生成水が含有する銀成分が形成するコロイド粒子が散乱する散乱光に起因する濁りの発現の有無を確認する方法であり、その一実施形態では、電解生成水中にレーザ光を照射して、銀成分のコロイド粒子の散乱光に起因するティンダル現象による、レーザ光の光路に沿って発現する色帯の有無を視認する確認方法である。当該銀成分の確認方法は、銀電極を陽極側電極とする電解室にて電解生成される電解生成水中の銀成分がコロイド粒子の形態で存在していることを前提して成立しているもので、本発明者は、銀含有電解生成水中の銀成分がコロイド粒子の形態で存在していることを確認している。
【００１４】
本発明に係る銀成分の確認方法の一実施形態では、電解生成水に照射する照射光として色付きのレーザ光を採用していて、電解生成水が銀成分を含有している場合には、当該電解生成水中に存在する銀成分を主体とするコロイド粒子は、照射されたレーザ光を散乱してティンダル現象を発現させる。コロイド粒子によって散乱された光は、電解生成水中に、レーザ光の光路に沿ったレーザ光の色合いの色帯を発現させる。当該色帯は、容易に視認することができるもので、当該色帯を視認することによって、当該電解生成水は有効な銀成分を含有する電解生成水であること、換言すれば、銀含有電解生成水であることを確認することができる。本実施形態では、レーザ光として赤色のレーザ光を採用しているため、赤色の色帯が発現する。
【００１５】
一方、電解生成水が銀成分を含有していない場合には、当該電解生成水には銀成分を主成分とするコロイド粒子が存在しないことから、当該電解生成水にレーザ光を照射してもティンダル現象は発現せず、このため、当該電解生成水中には、レーザ光の色合いの色帯を発現しない。この結果、当該電解生成水においては、レーザ光の照射に起因する色帯が発現しないことを視認することによって、当該電解生成水が銀含有電解生成水ではないことを確認することができる。
【００１６】
このように、当該銀成分の確認方法は、電解生成水に対するレーザ光の照射に起因する電解生成水中でのティンダル現象による色帯の発現の有無を視認する方法であって、銀含有電解生成水を利用する人にとって、利用しようとする電解生成水が銀含有電解生成水であるか否かの確認を瞬時にかつ容易にできる簡単な確認方法であるということができる。また、当該銀成分の確認方法では、レーザ光を照射する照射具を要するが、レーザ光の照射具としては、ポインター等の簡便な照射手段を採用することができる。このため、当該レーザ光の照射手段を、電解生成水用ディスペンサに簡単な取付構造にて容易に取付けることができる。図１には、当該照射手段を装備する銀含有電解生成水用ディスペンサを示している。
【００１７】
図１に示すディスペンサＤは、人体に対する免疫力を高めると言われている銀成分を含有する電解生成水（銀含有電解生成水）を採取し得るディスペンサＤである。当該ディスペンサＤは、銀成分を含有する銀含有電解生成アルカリ性水を注出するディスペンサであって、図２に示すように、無隔膜電解槽１０ａおよび有隔膜電解槽１０ｂを一体に備え、ディスペンサＤの装置本体を構成するハウジング２１内に収納されている。無隔膜電解槽１０ａは、銀電極を陽極側電極とするもので、槽本体１１内に、銀電極である陽極側の電極１２ａと白金電極である陰極側の電極１２ｂとが互いに対向して配設されている。これにより、槽本体１１内が電解室Ｒに形成されている。当該無隔膜電解槽１０ａにおいては、電解室Ｒの上流側に、被電解水を電解室Ｒに導入するための導入管路１３ａが接続され、かつ、電解室Ｒの下流側に、電解室Ｒにて生成された電解生成水を導出するための導出管路１３ｂが接続されている。導出管路１３ｂは先端側が分岐していて、分岐管路部を介して有隔膜電解槽１０ｂに接続されている。
【００１８】
有隔膜電解槽１０ｂは、槽本体１４内を、イオン透過能を有する隔膜１５にて区画されているもので、各区画室内に白金電極とする陽極側の電極１６ａと陰極側の電極１６ｂが配設されている。これにより、槽本体１４内には、隔膜１５を挟んで互いに対向する陽極側電解室Ｒ1と陰極側電解室Ｒ2が形成されている。当該有隔膜電解槽１０ｂにおいては、各電解室Ｒ1，Ｒ2の上流側に、無隔膜電解槽１０ａの電解室Ｒの下流側に接続されている導出管路１３ｂの分岐管路部が接続されている。また、陽極側電解室Ｒ1の下流側には、同電解室Ｒ1にて生成された電解生成水を導出するための導出管路１７ａが接続され、かつ、陰極側電解室Ｒ2の下流側には、同電解室Ｒ2にて生成された電解生成水を導出するための導出管路１７ｂが接続されている。
【００１９】
一方の導出管路１７ａは、陽極側電解室Ｒ1にて生成される電解生成酸性水を導出するもので、当該電解生成酸性水を収容する貯留タンクに接続されている。また、他方の導出管路１７ｂは、陰極側電解室Ｒ2にて生成される電解生成アルカリ性水を導出するもので、当該電解生成アルカリ性水を飲用に供すべく、ディスペンサＤにおける後述の注出口部に接続されている。
【００２０】
当該ディスペンサＤにおいては、図１に示すように、装置本体を構成するハウジング２１の正面側に飲用水採取部２２が設けられている。飲用水採取部２２は、立方体形状の空間部に形成されていて、飲用水採取部２２の底部は飲用水を採取すべきコップＣを受承する受承部２２ａに形成されている。飲用水採取部２２の上方には、飲用水の注出口部２３が臨んでいる。注出口部２３には、有隔膜電解槽１０ｂの陰極側電解室Ｒ2に接続されている導出管路１７ｂの先端側が接続されている。
【００２１】
また、飲用水採取部２２には、レーザ光を照射するための照射具２４が設けられている。照射具２４は、飲用水採取部２２の側壁部から側方に突出していて、受承部２２ａに受承されたコップＣの側部に対向すべく位置している。また、ハウジング２１の正面には、飲用水採取部２２に近接して、飲用水を注出するための注出スイッチ２５が設けられている。注出スイッチ２５は、飲用水の注出を指示すべく機能するもので、注出スイッチ２５を押動操作することにより、注出信号を制御装置２６に出力する。制御装置２６は、当該注出信号に基づいて駆動する。
【００２２】
制御装置２６は、装置本体を構成するハウジング２１の正面側壁部の背面側に組付けらており、注出スイッチ２５のスイッチ操作により出力される注出信号に基づいて駆動して、当該ディスペンサＤの電解運転を開始するとともに当該電解運転を制御し、さらには、飲用水の注出動作に連動して照射具２４を駆動して、照射具２４からレーザ光を、飲用水採取部２２の受承部２２ａにセットされているカップＣの側部に照射させる。飲用水採取部２２においては、その内部が暗所に形成されていて、カップＣ内の飲用水中で発現する散乱光ＳＬの色帯を視認し易くなっている。使用するカップＣは、レーザ光が透過する透明なガラス製のカップである。なお、制御装置２６については、カップＣ内の飲用水中で発現する散乱光ＳＬの色帯を濁度等で検出する検出機能を持たせることができて、散乱光ＳＬの色帯を検出されない場合には、警告を発生させるようにすることができる。
【００２３】
かかる構成のディスペンサＤにおいては、ユーザが注出スイッチ２５を押動操作することにより、制御装置２６は、無隔膜電解槽１０ａおよび有隔膜電解槽１０ｂの電解運転を連動して開始する。電解運転の開始時には、水道水が図示しない浄化装置を通って導入管路１３ａに導入され、浄化された水道水は被電解水として、無隔膜電解槽１０ａの電解室Ｒ内に導入される。電解室Ｒ内に導入された被電解水は、電解室Ｒ内にて電解されて、陽極側の電極１２ａから溶出する銀成分を含有する電解生成水となり、銀成分を含有する当該電解生成水は導出管路１３ｂを経て、有隔膜電解槽１０ｂの各電解室Ｒ1，Ｒ2内に被電解水として導入される。
【００２４】
有隔膜電解槽１０ｂの各電解室Ｒ1，Ｒ2内に導入された銀成分を含有する各被電解水は、各電解室Ｒ1，Ｒ2内にて電解されて電解生成水となって、各導出管路１７ａ，１７ｂから導出される。この場合、銀成分を含有する被電解水は、陽極側電解室Ｒ1内では電解生成酸性水に生成されて、導出管路１７ａを通って図示しない貯留タンクに収容され、また、陰極側電解室Ｒ2内では電解生成アルカリ性水に生成され、銀成分を含有する電解生成アルカリ性水として、導出管路１７ｂを通って注出口部２３に導出される。これにより、銀成分を含有する電解生成アルカリ性水（銀含有電解生成アルカリ性水）は、注出口部２３からカップＣ内に注出され、ユーザは銀含有電解生成アルカリ性水をカップＣ内に採取することができる。この場合には、ユーザは、カップＣとしてレーザ光が透過可能な透明なカップを使用することが肝要である。
【００２５】
カップＣ内に採取された銀含有電解生成アルカリ性水は、本発明における銀含有電解生成水の範疇に属するアルカリ性の銀含有電解生成水である。当該銀含有電解生成アルカリ性水は、飲用することにより人体の免疫力を高める作用が有るものと言われていて、健康飲料水として有用である。以下に示す実施例においては、当該銀含有電解生成アルカリ性水を、簡略して銀アルカリ水と称することがあり、また、有隔膜電解槽１０ｂの陽極側電解室Ｒ1にて生成される銀含有電解生成酸性水を、簡略して銀酸性水と称することがある。
【００２６】
当該ディスペンサＤは、有隔膜電解槽１０ｂの陰極側電解室Ｒ2から導出される電解生成アルカリ性水が銀成分を含有するか否か、換言すれば、注出される電解生成水が銀含有電解生成アルカリ性水であるか否かを確認するために、レーザ光を噴射する噴射具２４を装備している。噴射具２４は、制御装置２６によってレーザ光の噴射のタイミングを制御されるもので、銀含有電解生成アルカリ性水が注出口部２３からカップＣ内に注出される際に、これに同期してカップＣの側部にレーザ光を照射する。本実施形態では、レーザ光として赤色のレーザ光を採用していて、電解生成アルカリ性水中に銀成分を主体とするコロイド粒子が存在している場合には、当該コロイド粒子が散乱することにより、レーザ光の光路に沿って、電解生成アルカリ性水中に散乱光ＳＬが形成する赤色の色帯を発現させる。
【００２７】
当該散乱光ＳＬに起因する色帯の発現は、コロイド粒子の存在によるティンダル現象の発生に基づくもので、電解生成アルカリ性水中に散乱光ＳＬによる色帯が発現する場合は、当該電解生成アルカリ性水が銀成分を含有していることを、換言すれば、当該電解生成アルカリ性水が銀含有電解生成アルカリ性水であることを表示していることになる。ユーザは、飲用水を採取している際に、散乱光ＳＬに基づく色帯の発現の有無を瞬時かつ容易に視認することができ、採取している飲用水が、銀含有電解生成アルカリ性水であるか否かを瞬時に判定することができる。換言すれば、ユーザは、飲用しようとしている電解生成アルカリ性水が、飲用を目的としている銀含有電解生成アルカリ性水であるか否かを瞬時に判断することができる。
【実施例】
【００２８】
本発明に係る銀成分の確認方法は、銀電極を陽極側電極とする電解室にて電解生成される電解生成水が含有する銀成分がコロイド粒子の形態で存在していることを前提として成立しているものである。本実施例においては、電解生成水中の銀成分銀成分がコロイド粒子の形態で存在していることを確認する実験を行うことを意図している。
【００２９】
本実験においては、種々の電解方法によって生成された銀成分を含有する電解生成水および銀成分を含有していない電解生成水、銀成分を含有する水、銀成分を含有する水を被電解水として電解して生成された電解生成水等を供試水として、銀成分の存在と、銀成分を主体とするコロイド粒子の存在との関係を確認している。本実験での測定項目は、供試水中の銀成分の濃度（ｐｐｂ）、供試水のｐＨ、酸化還元電位ＯＲＰ（ｍＶ）、電導動（μＳ／ｃｍ）、供試水中でのティンダル現象による散乱光ＳＬに基づく色帯の発現の有無である。得られた結果を下記の表１に示す。
【００３０】
なお、コロイド粒子とは、通常のイオンより大きい１０−７〜１０−５ｃｍ程度の粒子を想定している。また、各測定項目の測定には、通常のｐＨ計、ＯＲＰ計、電気伝導度計、銀イオン試薬を用いる分析計等を使用した。また、ティンダル現象による散乱光ＳＬに基づく色帯の発現には、赤色のレーザ光を使用した。
【００３１】
各供試水の調製では、電解生成水にあっては、図１および図２に示す、銀電極を陽極側電極とする無隔膜電解槽１０ａと、両電極共に白金電極とする有隔膜電解槽１０ｂとを適宜組合せて、または、それぞれ単独で使用した。各供試水については下記に示すが、表１には、各供試水をまとめて表示する。但し、表１には、下記に示す各供試水の括弧内に示す簡略した略称を表記している。
【００３２】
供試水１：浄化した水道水を被電解水として無隔膜電解槽１０ａで電解し、電解室Ｒにて生成された銀成分を含有する電解生成水を被電解水として有隔膜電解槽１０ｂで電解し、陽極側電解室Ｒ1にて生成された銀成分を含有する電解生成酸性水（銀含有電解生成酸性水：Ａｇ−Ｐｔ銀酸性水）。供試水２：浄化した水道水を被電解水として無隔膜電解槽１０ａで電解し、電解室Ｒにて生成された銀成分を含有する電解生成水を被電解水として有隔膜電解槽１０ｂで電解し、陰極側電解室Ｒ2にて生成された銀成分を含有する電解生成アルカリ性水（銀含有電解生成酸性水：Ａｇ−Ｐｔ銀アルカリ水）。
【００３３】
供試水３：浄化した水道水を被電解水として有隔膜電解槽１０ｂで電解し、陽極側電解室Ｒ2にて生成された電解生成酸性水を被電解水として無隔膜電解槽１０ａで電解し、電解室Ｒにて生成された銀成分を含有する電解生成酸性水（銀含有電解生成酸性水：Ｐｔ−Ａｇ銀酸性水）。供試水４：浄化した水道水を被電解水として有隔膜電解槽１０ｂで電解し、陽極側電解室Ｒ2にて生成された電解生成アルカリ性水を被電解水として無隔膜電解槽１０ａで電解し、電解室Ｒにて生成された銀成分を含有する電解生成アルカリ性水（銀含有電解生成アルカリ性水：Ｐｔ−Ａｇ銀アルカリ水）。
【００３４】
供試水５：浄化した水道水を被電解水として有隔膜電解槽１０ｂで電解し、陽極側電解室Ｒ1にて生成された電解生成酸性水（Ｐｔ酸性水）。供試水６：浄化した水道水を被電解水として有隔膜電解槽１０ｂで電解し、陰極側電解室Ｒ2にて生成された電解生成アルカリ性水（Ｐｔアルカリ水）。
【００３５】
供試水７：塩化銀粉末を水道水に加え（０．１ｇ／Ｌ）、スターラにて約５時間撹拌して調製した銀含有水（Ｗ銀水）。供試水８：供試水７であるＷ銀水を被電解水として有隔膜電解槽１０ｂで電解して、陽極側電解室Ｒ1にて生成された銀成分を含有する電解生成酸性水（銀含有電解生成酸性水：Ｗ銀−Ｐｔ酸性水）。供試水９：供試水７であるＷ銀水を被電解水として有隔膜電解槽１０ｂで電解して、陰極側電解室Ｒ2にて生成された銀成分を含有する電解生成アルカリ性水（銀含有電解生成アルカリ性水：Ｗ銀−Ｐｔアルカリ水）。
【００３６】
供試水１０：浄化した水道水（Ｗ水）。供試水１１：浄化した水道水に塩酸を加えて調製した酸性水（Ｗ酸性水）。供試水１２：浄化した水道水に苛性ソーダを加えて調製したアルカリ水（Ｗアルカリ水）。
【００３７】
【表１】
2007147499.tif 000003
【００３８】
本実験では、供試水１（Ａｇ−Ｐｔ銀酸性水）、供試水２（Ａｇ−Ｐｔ銀アルカリ水）、供試水３（Ｐｔ−Ａｇ銀酸性水）、供試水４（Ｐｔ−Ａｇ銀アルカリ水）の各供試水は、銀電極を陽極側電極とする電解室にて生成された電解生成水に該当する。これらの各供試水は、いずれも銀成分を含有していて、レーザ光の照射によって発生する散乱光に起因する色帯を発現している。これに対して、供試水７（Ｗ銀水）は、銀成分を含有する水であるが電解生成水ではなく、レーザ光の照射によって発生する散乱光に起因する色帯の発現はない。また、供試水８（Ｗ銀−Ｐｔ酸性水）、供試水９（Ｗ銀−Ｐｔアルカリ水）は、銀成分を含有する電解生成水ではあるが、銀電極を陽極側電極とする電解室にて生成された電解生成水には該当しない。これらの供試水は、いずれも銀成分を含有してはいるが、レーザ光の照射によって発生する散乱光に起因する色帯の発現してはない。供試水１０（Ｗ水）、供試水１１（Ｗ酸性水）、供試水１２（Ｗアルカリ水）は、銀成分を含有していない水、無機酸の水溶液、無機塩基の水溶液であって、レーザ光の照射によって発生する散乱光に起因する色帯の発現はない。
【００３９】
以上に結果を総合すると、銀電極を陽極側電極とする電解室にて生成された電解生成水（供試水１〜４）は、銀成分がレーザ光を散乱させるコロイド粒子の形態で存在しているものと認められる。このため、本発明に係るディスペンサの一実施形態であるディスペンサＤにておいては、生成された電解生成水が銀成分を含有する電解生成水であって、飲用目的にあった電解生成水であるか否かを、コロイド粒子が発現する色帯を視認することによって、瞬時かつ容易に判断することができる。
【図面の簡単な説明】
【００４０】
【図１】本発明に係るディスペンサの一実施形態を示す正面図である。
【図２】当該ディスペンサの電解機構部を示す概略構成図である。
【符号の説明】
【００４１】
Ｄ…ディスペンサ、１０ａ…無有隔膜電解槽、Ｒ…電解室、１１…槽本体、１２ａ…電極（銀電極）、１２ｂ…電極（白金電極）、１３ａ…導入管路、１３ｂ…導出管路、１０ｂ…有隔膜電解槽、Ｒ1…陽極側電解室、Ｒ2…陰極側電解室、１４…槽本体、１５…隔膜、１６ａ…電極（白金電極）、１６ｂ…電極（白金電極）、１７ａ，１７ｂ…導出管路、２１…ハウジング、２２…飲用水採取部、２２ａ…受承部、２３…注出口部、２４…照射具、２５…注出スイッチ、２６…制御装置、Ｃ…カップ。
【図１】
2007147499.tif 000004
【図２】
2007147499.tif 000005